(57)【特許請求の範囲】
【請求項１】
吹出口（１５）から吹き出される吹出空気の流れをコアンダ効果により所定の方向へ誘導可能な空調室内機であって、
前記吹出空気の方向を上下に調整する水平羽根（３１）と、
前記吹出口（１５）の近傍に設けられ、前記水平羽根（３１）で方向調整された前記吹出空気を自己の下面（３２ａ）に沿わせたコアンダ気流にするコアンダ羽根（３２）と、
空調運転が停止している間、前記吹出口（１５）を含む送風路の外側で前記コアンダ羽根（３２）の少なくとも一部を収容する収容部（１３０）と、
水平面に対する前記水平羽根（３１）及び前記コアンダ羽根（３２）それぞれの角度を組み合わせた複数の角度組合せ姿勢を使って、前記吹出空気の方向を調整する制御部（４０）と、
を備え、
前記複数の角度組合せ姿勢には、
前記コアンダ気流を利用する時の前記コアンダ羽根（３２）及び前記水平羽根（３１）それぞれの角度を組み合わせる第１角度組合せ姿勢と、
前記コアンダ羽根（３２）及び前記水平羽根（３１）それぞれの先端を近接させ、前記吹出空気が前方へ進行するときの通風抵抗を増大させることによって前記吹出空気の側方吹きを実現する第２角度組合せ姿勢と、
が含まれ、
前記コアンダ羽根（３２）は前端と後端（３２２）とを有し、前記第２角度組合せ姿勢において、前記コアンダ羽根（３２）が回動して前記収容部（１３０）から離れるほど、前記後端（３２２）の高さ位置が低くなり、前記吹出口（１５）の上壁（１１１）と前記後端（３２２）との隙間が広がり、且つ前記前端は前記後端（３２２）よりも前記上壁（１１１）から離れている、
空調室内機（１０）。
【請求項２】
前記第２角度組合せ姿勢における前記コアンダ羽根（３２）及び前記水平羽根（３１）のいずれか一方の先端と他方の近接面とが最も近接する位置が、前記吹出口（１５）よりも前記吹出空気の下流側にある、
請求項１に記載の空調室内機（１０）。
【請求項３】
前記第２角度組合せ姿勢において、前記吹出空気の半分以上の空気量が前記コアンダ羽根（３２）及び前記水平羽根（３１）に挟まれた空間の側方から吹出される、
請求項１に記載の空調室内機（１０）。
【請求項４】
前記制御部（４０）は、前記コアンダ羽根（３２）及び前記水平羽根（３１）の先端同士の距離が最短になるように前記第２角度組合せ姿勢を調整する、
請求項１に記載の空調室内機（１０）。
【請求項５】
壁に掛けるタイプの空調室内機であって、
前記収容部（１３０）は、前記吹出口（１５）を挟んで前記壁とは反対側に位置し、
前記コアンダ羽根（３２）は、前記収容部（１３０）の端部近傍で且つ前記吹出口（１５）を形成する形成壁（１１５）のうちの上壁（１１１）の上方に設けられている回動軸（３２１）を有している、
請求項１に記載の空調室内機（１０）。
【請求項６】
前記第２角度組合せ姿勢では、前記コアンダ羽根（３２）及び前記水平羽根（３１）のいずれか一方の先端と他方の近接面との距離が１５ｍｍ以内である、
請求項１から請求項５のいずれか１項に記載の空調室内機（１０）。
【発明の詳細な説明】
【技術分野】
【０００１】
本発明は、空調室内機に関する。
【背景技術】
【０００２】
従来、上下に回動する風向調整羽根を用いて吹出空気の方向を制御する空調室内機に関する研究が広くなされている。例えば、特許文献１（特開２０１０−１２１８７７号公報）に記載の空調室内機では、吹出通路の上側に回動自在に支持されたディフューザと、吹出通路のディフューザの下側に回動自在に支持された水平フラップとが上下動を繰り返すスイング動作を行い、それぞれが同時にスイング動作する領域において、ディフューザが上方に回動しているときは水平フラップが上方に回動する一方、ディフューザが下方に回動しているときは水平フラップが下方に回動する。
【０００３】
上記の空調室内機は、２つの可動式の風向調整羽根を用いることによって、１つの可動式風向調整羽根で気流制御するときよりも多様な気流制御を行なうことができる。
【発明の概要】
【発明が解決しようとする課題】
【０００４】
しかしながら、その気流制御は吹出空気の前方吹き、及び上吹きにおいて実践されるだけであり、側方吹きにおける気流制御については不明である。
【０００５】
本発明の課題は、２つの可動式風向調整羽根を用いて吹出空気の側方吹きを行う空調室内機を提供することにある。
【課題を解決するための手段】
【０００６】
本発明の第１観点に係る空調室内機は、吹出口から吹き出される吹出空気の流れをコアンダ効果により所定の方向へ誘導可能な空調室内機であって、水平羽根と、コアンダ羽根と、収容部と、制御部とを備えている。水平羽根は、吹出空気の方向を上下に調整する。コアンダ羽根は、吹出口の近傍に設けられ、水平羽根で方向調整された吹出空気を自己の下面に沿わせたコアンダ気流にする。収容部は、空調運転が停止している間、吹出口を含む送風路の外側でコアンダ羽根の少なくとも一部を収容する。制御部は、水平面に対する水平羽根およびコアンダ羽根それぞれの角度を組み合わせた複数の角度組合せ姿勢を使って、吹出空気の方向を調整する。また、複数の角度組合せ姿勢には、第１角度組合せ姿勢と第２角度組合せ姿勢とが含まれている。第１角度組合せ姿勢は、コアンダ気流を利用する時のコアンダ羽根および水平羽根それぞれの角度を組み合わせた姿勢である。第２角度組合せ姿勢は、コアンダ羽根および水平羽根それぞれの先端を近接させ、吹出空気が前方へ進行するときの通風抵抗を増大させることによって吹出空気の側方吹きを実現する姿勢である。さらに、コアンダ羽根は前端と後端とを有している。第２角度組合せ姿勢において、コアンダ羽根が回動して収容部から離れるほど、後端の高さ位置が低くなり、吹出口の上壁と後端との隙間が広がり、且つ前端は後端よりも上壁から離れている。
【０００７】
この空調室内機では、第２角度組合せ姿勢におけるコアンダ羽根と水平羽根とに挟まれた空間が後方から前方に向って狭くなる。そのため、空気が後方から前方に進行するときの空気抵抗が、空気が進行方向を側方へ転換するときの空気抵抗よりも大きくなり、この空間に入った空気は側方へ流れ易くなる。その結果、吹出空気の側方吹きが可能となる。
【０００８】
本発明の第２観点に係る空調室内機は、第１観点に係る空調室内機であって、第２角度組合せ姿勢におけるコアンダ羽根および水平羽根のいずれか一方の先端と他方の近接面とが最も近接する位置が、吹出口よりも吹出空気の下流側にある。
【０００９】
この空調室内機では、コアンダ羽根および水平羽根の最も近接する位置が空気抵抗を最も大きくする位置であり、コアンダ羽根と水平羽根とに挟まれた空間に入った空気は両者が最も近接する位置へ到達するまでに側方に方向転換する。それゆえ、コアンダ羽根および水平羽根が最も近接する位置が吹出口よりも吹出空気の下流側にあることによって、コアンダ羽根と水平羽根とに挟まれた空間内で側方に方向転換した吹出空気が確実に側方に吹き出される。
【００１０】
本発明の第３観点に係る空調室内機は、第１観点に係る空調室内機であって、第２角度組合せ姿勢において、吹出空気の半分以上の空気量がコアンダ羽根および水平羽根に挟まれた空間の側方から吹出される。
【００１１】
この空調室内機では、コアンダ羽根および水平羽根のいずれか一方の先端と他方の近接面との距離が近接しているときに、吹出空気の半分以上の空気量がコアンダ羽根および水平羽根に挟まれた空間の側方から吹出されるので、上記距離をゼロに近づけるほど前方へ吹き出される空気量が減少し、その分、側方へ吹き出される空気量が増大する。
【００１２】
本発明の第４観点に係る空調室内機は、第１観点に係る空調室内機であって、制御部がコアンダ羽根および水平羽根の先端同士の距離が最短になるように第２角度組合せ姿勢を調整する。
【００１３】
この空調室内機では、コアンダ羽根および水平羽根の先端同士の距離が最短のとき、両者に挟まれた空間の断面積が最大となり、この空間を風路とする吹出空気の側方吹き風量が最大となる。
【００１４】
本発明の第５観点に係る空調室内機は、第１観点に係る空調室内機であって、壁に掛けるタイプの空調室内機である。収容部は、吹出口を挟んで壁とは反対側に位置している。また、コアンダ羽根は回動軸を有している。その回動軸は、収容部の端部近傍で且つ吹出口を形成する形成壁のうちの上壁の上方に設けられている。
【００１５】
この空調室内機では、コアンダ羽根は回動することによって収容部から離れる。コアンダ羽根の端部と回動軸とは所定の間隔を保っているので、コアンダ羽根が収容部から離れるほど、コアンダ羽根の後端の高さ位置は低くなるように回転する。その結果、コアンダ羽根の後端と吹出口の上壁との隙間が拡大するので、吹出空気はその隙間を通ってコアンダ羽根の内側面に沿う向きの流れと、風向調整羽根とコアンダ羽根とに挟まれた空間を通って横に向う流れとが同時に実現される。
【００１６】
本発明の第６観点に係る空調室内機は、第１観点から第５観点のいずれか１つに係る空調室内機であって、第２角度組合せ姿勢では、コアンダ羽根および水平羽根のいずれか一方の先端と他方の近接面との距離が１５ｍｍ以内である。
【００１７】
この空調室内機では、空気が後方から前方に進行するときの空気抵抗が、空気が進行方向を側方へ転換するときの空気抵抗よりも大きくなり、この空間に入った空気は側方へ流れ易くなる。その結果、吹出空気の側方吹きが可能となる。
【発明の効果】
【００１８】
本発明の第１観点に係る空調室内機では、空気が後方から前方に進行するときの空気抵抗が、空気が進行方向を側方へ転換するときの空気抵抗よりも大きくなり、この空間に入った空気は側方へ流れ易くなる。その結果、吹出空気の側方吹きが可能となる。
【００１９】
本発明の第２観点に係る空調室内機では、コアンダ羽根および水平羽根が最も近接する位置が吹出口よりも吹出空気の下流側にあることによって、コアンダ羽根と水平羽根とに挟まれた空間内で側方に方向転換した吹出空気が確実に側方に吹き出される。
【００２０】
本発明の第３観点に係る空調室内機では、コアンダ羽根および水平羽根のいずれか一方の先端と他方の近接面との距離が近接しているときに、吹出空気の半分以上の空気量がコアンダ羽根および水平羽根に挟まれた空間の側方から吹出されるので、上記距離をゼロに近づけるほど前方へ吹き出される空気量が減少し、その分、側方へ吹き出される空気量が増大する。
【００２１】
本発明の第４観点に係る空調室内機では、コアンダ羽根および水平羽根の先端同士の距離が最短のとき、両者に挟まれた空間の断面積が最大となり、この空間を風路とする吹出空気の側方吹き風量が最大となる。
【００２２】
本発明の第５観点に係る空調室内機では、コアンダ羽根は回動することによって収容部から離れる。コアンダ羽根の端部と回動軸とは所定の間隔を保っているので、コアンダ羽根が収容部から離れるほど、コアンダ羽根の後端の高さ位置は低くなるように回転する。その結果、コアンダ羽根の後端と吹出口の上壁との隙間が拡大するので、吹出空気はその隙間を通ってコアンダ羽根の内側面に沿う向きの流れと、風向調整羽根とコアンダ羽根とに挟まれた空間を通って横に向う流れとが同時に実現される。
【００２３】
本発明の第６観点に係る空調室内機では、空気が後方から前方に進行するときの空気抵抗が、空気が進行方向を側方へ転換するときの空気抵抗よりも大きくなり、この空間に入った空気は側方へ流れ易くなる。その結果、吹出空気の側方吹きが可能となる。
【図面の簡単な説明】
【００２４】
【図１】本発明の一実施形態に係る運転停止時の空調室内機の断面図。
【図２Ａ】運転時の空調室内機の断面斜視図。
【図２Ｂ】空調室内機の吹出口周辺の断面斜視図。
【図２Ｃ】空調室内機のコアンダ羽根を含む吹出口周辺の断面斜視図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】下吹き時の風向調整羽根およびコアンダ羽根の側面図。
【図３Ｆ】第１横吹き時の風向調整羽根およびコアンダ羽根の側面図。
【図３Ｇ】第２横吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図６Ｄ】風向調整羽根とコアンダ羽根とが第１横吹き姿勢をとるときの吹出空気の方向を示す空調室内機設置空間の側面図。
【図６Ｅ】風向調整羽根とコアンダ羽根とが第２横吹き姿勢をとるときの吹出空気の方向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図７Ｃ】「風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【発明を実施するための形態】
【００２５】
以下、図面を参照しながら、本発明の実施形態について説明する。なお、以下の実施形態は、本発明の具体例であって、本発明の技術的範囲を限定するものではない。
【００２６】
（１）空調室内機１０の構成
図１は、本発明の一実施形態に係る運転停止時の空調室内機１０の断面図である。また、図２Ａは、運転時の空調室内機１０の断面斜視図である。図１及び図２Ａにおいて、空調室内機１０は壁掛けタイプであり、本体ケーシング１１、室内熱交換器１３、室内ファン１４、底フレーム１６、及び制御部４０が搭載されている。
【００２７】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２８】
天面部１１ａは、本体ケーシング１１の上部に位置し、天面部１１ａの前部には、吸込口（図示せず）が設けられている。
【００２９】
前面パネル１１ｂは本体ケーシング１１の前面部を構成しており、吸込口がないフラットな形状を成している。また、前面パネル１１ｂは、その上端が天面部１１ａに回動自在に支持され、ヒンジ式に動作することができる。
【００３０】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３１】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動され、吹出空気の方向を変更するだけでなく、吹出口１５を開閉することもできる。風向調整羽根３１は、傾斜角が異なる複数の姿勢をとることが可能である。
【００３２】
また、吹出口１５の近傍にはコアンダ羽根３２が設けられている。コアンダ羽根３２は、モータ（図示せず）によって駆動され、前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００３３】
また、吹出口１５は、吹出流路１８によって本体ケーシング１１の内部と繋がっている。吹出流路１８は、吹出口１５から底フレーム１６のスクロール１７に沿って形成されている。
【００３４】
室内空気は、室内ファン１４の稼動によって吸込口、室内熱交換器１３を経て室内ファン１４に吸い込まれ、室内ファン１４から吹出流路１８を経て吹出口１５から吹き出される。
【００３５】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３６】
また、天面部１１ａと室内熱交換器１３との間にはフィルタ清掃装置７０が配置されており、フィルタに付着した塵埃を自動で除去することができる。
【００３７】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３８】
（２−２）吹出口１５
図１及び図２Ａに示すように、吹出口１５は、本体ケーシング１１の下部に設けられており、横方向（図１紙面と直交する方向）を長辺とする長方形の開口である。吹出口１５の下端は下部水平板１１ｄの前方エッジに近接しており、吹出口１５の下端と上端とを結ぶ仮想面は前方上向きに傾斜している。
【００３９】
図２Ｂは、空調室内機１０の吹出口１５周辺の断面斜視図である。また、図２Ｃは、空調室内機１０のコアンダ羽根３２を含む吹出口１５周辺の断面斜視図である。図２Ｂにおいて、吹出口１５は、形成壁１１５によって形成されている。形成壁１１５は、上壁１１１、下壁１１２、及び左右の側壁１１３，１１４で構成されている。そして、図２Ｃにおいて、コアンダ羽根３２の後端３２２と、形成壁１１５の上壁１１１との間に隙間Ｃが形成されている。
【００４０】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線Ｌ０に概ね沿った方向である。
【００４１】
（２−４）垂直風向調整板２０
垂直風向調整板２０は、図１及び図２Ａに示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００４２】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００４３】
（２−５）風向調整羽根３１
風向調整羽根３１は、図１及び図２Ａに示すように、円弧状の部材である。風向調整羽根３１は、凸状の外側湾曲面を含む外側面３１ａと、凹状の内側湾曲面を含む内側面３１ｂを有している。
【００４４】
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２Ａ参照）も、外面にほぼ平行な円弧曲面を成している。
【００４５】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００４６】
回動軸３１１が図１正面視反時計方向に回動することによって、風向調整羽根３１の上端が吹出口１５の上壁１１１側から遠ざかるように動作して吹出口１５を開ける。逆に、回動軸３１１が図１正面視時計方向に回動することによって、風向調整羽根３１の上端が吹出口１５の上壁１１１側へ近づくように動作して吹出口１５を閉じる。
【００４７】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００４８】
（２−６）コアンダ羽根３２
コアンダ羽根３２は、図１及び図２Ａに示すように、円弧状の部材である。コアンダ羽根３２は、凸状の外側湾曲面を含む外側面３２ａと、凹状の内側湾曲面を含む内側面３２ｂを有している。
【００４９】
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が収容部１３０から離れるほど、コアンダ羽根３２の下端の高さ位置は低くなるように回転する。また、コアンダ羽根３２が回転して開いたときの傾斜は本体ケーシング１１の前面部の傾斜よりも緩やかである。
【００５０】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００５１】
また、コアンダ羽根３２は図１正面視反時計方向に回動することによって、コアンダ羽根３２の上端および下端ともに円弧を描きながら収容部１３０から離れるが、そのとき、コアンダ羽根３２の上端と吹出口１５より上方の収容部１３０との最短距離は、下端と収容部１３０との最短距離より大きい。すなわち、コアンダ羽根３２は前方に行くにしたがって本体ケーシング１１の前面部から離れるような姿勢に制御される。そして、コアンダ羽根３２が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００５２】
コアンダ羽根３２が収容部１３０に収容された状態で、コアンダ羽根３２の外側面３２ａの外側湾曲面３２ａａは前面パネル１１ｂのなだらかな円弧曲面の延長上にあるような外側に凸のなだらかな円弧曲面に仕上げられている。また、コアンダ羽根３２の内側面３２ｂの内側湾曲面３２ｂｂは、収容部１３０の表面に沿うような円弧曲面に仕上げられている。言い換えれば、収容部１３０は、コアンダ羽根３２の外側面３２ａが本体ケーシング１１の前面部よりも出っ張ることもなく見栄えよくするために、コアンダ羽根３２の内側面３２ｂの形状に沿うように凹状に形成されている。
【００５３】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００５４】
（２−７）フィルタ清掃装置７０
フィルタ清掃装置７０は、少なくともフィルタ７１と、フィルタ駆動ローラー７３と、ブラシ７５と、ダストボックス７７とを含んでいる。フィルタ７１は、フィルタ駆動ローラー７３の回転によって、所定の環状軌道に沿って周回することができる。ブラシ７５は、フィルタ清掃用のブラシであり、フィルタ７１に付着した塵埃を掻き落すため、フィルタ７１を挟んでフィルタ駆動ローラー７３と対向している。ダストボックス７７は、ブラシ７５がフィルタ７１から掻き落した塵埃を溜める。
【００５５】
制御部４０は、空調室内機１０の運転時間をカウントしており、前回のフィルタ清掃運転からの累積運転時間が所定時間（例えば、１８時間）に到達したとき、ブラシ７５を回転させながら、フィルタ７１を所定回数（例えば、１回）だけ周回させる。
【００５６】
その間、ブラシ７５とフィルタ７１とが相対移動するので、ブラシ７５の毛材がフィルタ７１の網目に入り込んで、その網目につまった塵埃を掻き出す。その塵埃は、ブラシ７５が配置されているダストボックス７７内に溜まる。
【００５７】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の外側面３２ａに沿わせたコアンダ気流にするコアンダ効果利用モードと、風向調整羽根３１及びコアンダ羽根３２それぞれの先端を前方下向きにして吹出空気を下方に導く下吹きモードを有している。
【００５８】
風向調整羽根３１及びコアンダ羽根３２は、上記各モードにおいて空気の吹出方向ごとに姿勢が変化するので、各姿勢について図３Ａ〜図３Ｇを参照しながら説明する。なお、吹出方向の選択は、ユーザーがリモコン等を介して行なうことができるものとする。また、モードの変更や吹出方向は自動的に変更されるように制御することも可能である。
【００５９】
（３−１）通常吹出モード
通常吹出モードは、風向調整羽根３１のみを回動させて吹出空気の方向を調整するモードであり、「通常前吹き」と「通常前方下吹き」とを含む。
【００６０】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側湾曲面３１ｂｂの前方端Ｅ１における接線Ｌ１が略水平になるまで風向調整羽根３１を回動させる。その結果、吹出空気は、前吹き状態となる。
【００６１】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００６２】
このとき、制御部４０は、風向調整羽根３１の内側湾曲面３１ｂｂの前方端Ｅ１における接線Ｌ１が水平よりも前下がりになるまで風向調整羽根３１を回動させる。その結果、吹出空気は、前方下吹き状態となる。
【００６３】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００６４】
また、吹出空気の方向およびコアンダ気流の方向については、基準位置の取り方次第で定義の方法が異なるので、以下に一例を示す。但し、それに限定されるものではない。図４Ａは、吹出空気の方向およびコアンダ気流の方向を示す概念図である。図４Ａにおいて、コアンダ羽根３２の外側面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根３１，３２がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００６５】
また、本実施形態のコアンダ効果利用モードでは、コアンダ羽根３２が風向調整羽根３１の前方（吹出の下流側）かつ上方の位置あるのが好ましい。
【００６６】
また、風向調整羽根３１とコアンダ羽根３２との開き角度についても、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００６７】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角（図５Ａ及び図５Ｂ）が、スクロール１７の終端Ｆの接線と風向調整羽根３１とが成す内角よりも大きい、という条件を満たす姿勢をとるのが好ましい。
【００６８】
図５Ａは、コアンダ気流前方吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。図５Ｂは、コアンダ気流天井吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。
【００６９】
また、図５Ａに示すように、コアンダ効果利用モードにおけるコアンダ羽根３２では、コアンダ羽根３２の外側湾曲面３２ａａの前方端Ｅ２における接線Ｌ２がほぼ水平で、コアンダ羽根３２の前端および後端が吹出口１５の形成壁１１５の上壁１１１よりも下方に位置するとき、コアンダ羽根３２の後端と吹出口１５の形成壁１１５の上壁１１１との隙間が小さいので、コアンダ羽根３２の内側面３２ｂ上を通過する気流の量は少なく、コアンダ気流の水平方向への誘導が阻害される可能性は小さい。
【００７０】
また、図５Ｂに示すように、コアンダ効果利用モードにおけるコアンダ羽根３２では、コアンダ羽根３２の外側湾曲面３２ａａの前方端Ｅ２における接線Ｌ２が水平より前方上向で、吹出口１５よりも外側上方に位置する。その結果、コアンダ気流はより遠方に到達する上に、コアンダ羽根３２の内側面３２ｂ上を通過する強い気流の発生は抑制され、コアンダ気流の上方への誘導が阻害されにくい。
【００７１】
また、コアンダ羽根３２の後端部の高さ位置は運転停止時よりも低くなっているので、上流側でのコアンダ効果によるコアンダ気流が生成し易い。
【００７２】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側湾曲面３１ｂｂの前方端Ｅ１における接線Ｌ１が水平よりも前下がりになるまで風向調整羽根３１を回動させる。
【００７３】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの外側湾曲面３２ａａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７４】
風向調整羽根３１で前方下吹きに調整された吹出空気は、コアンダ効果によってコアンダ羽根３２の外側面３２ａに付着した流れとなり、この外側面３２ａに沿ったコアンダ気流に変わる。
【００７５】
したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【００７６】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。
【００７７】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側湾曲面３１ｂｂの前方端Ｅ１における接線Ｌ１が水平になるまで風向調整羽根３１を回動させる。
【００７８】
次に、制御部４０は、外側面３２ａの外側湾曲面３２ａａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の外側面３２ａに付着した流れとなり、この外側面３２ａに沿ったコアンダ気流に変わる。
【００７９】
したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の内側面３２ｂ上を通過する強い気流の発生は抑制され、コアンダ気流の上方への誘導が阻害されにくい。
【００８０】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。
【００８１】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００８２】
（３−３）通常下吹きモード
図３Ｅは、下吹き時の風向調整羽根３１及びコアンダ羽根３２の側面図である。図３Ｅにおいて、「下吹き」が選択されたとき、制御部４０は風向調整羽根３１の内側湾曲面３１ｂｂの前方端Ｅ１における接線が下向きなるまで風向調整羽根３１を回動させる。
【００８３】
次に、制御部４０は、外側湾曲面３２ａａの前方端Ｅ２における接線が下向きとなるまでコアンダ羽根３２を回動させる。その結果、吹出空気は、風向調整羽根３１とコアンダ羽根３２との間を通過し、下向きに吹き出される。
【００８４】
特に、風向調整羽根３１がスクロール１７の終端部の接線角度より下向きになったときでも、制御部４０が下吹きモードを実行することによって、コアンダ羽根３２の外側面３２ａに当てて下向きの気流を生成することができる。
【００８５】
（３−４）横吹きモード
（３−４−１）第１横吹き
横吹きモードでは、制御部４０は風向調整羽根３１の前端部と、コアンダ羽根３２の前端部とが近接するように風向調整羽根３１及びコアンダ羽根３２を回動させる。
【００８６】
図３Ｆは、第１横吹き時の風向調整羽根３１及びコアンダ羽根３２の側面図である。図３Ｆにおいて、「第１横吹き」が選択されたとき、風向調整羽根３１とコアンダ羽根３２とが略三角形を成すようにそれぞれの前端部を最短になるまで接近させる。なお、風向調整羽根３１及びコアンダ羽根３２それぞれの前端部が最も近接する位置は、吹出口１５よりも吹出空気の下流側である。
【００８７】
風向調整羽根３１の前端部とコアンダ羽根３２の前端部とが近接した状態では、風向調整羽根３１とコアンダ羽根３２とに挟まれた空間が後方から前方に向って狭くなるので、吹出空気が後方から前方に進行するときの通風抵抗は大きくなり、この空間に入った吹出空気は抵抗の小さい方向へ、即ち、側方へ流れ易くなる。その結果、吹出空気の横吹きが実現する。
【００８８】
ところで、コアンダ羽根３２の回動軸３２１は、収容部１３０の下端近傍で且つ吹出流路１８上壁の上方の位置に設けられ、コアンダ羽根３２の後端と回動軸３２１とは所定の間隔を保って連結されているので、回動軸３２１が回動してコアンダ羽根３２が収容部１３０から離れるほど、コアンダ羽根３２の後端３２２の高さ位置は低くなり、吹出口１５の上壁１１１との隙間Ｃが広がる。
【００８９】
特に、第１横吹き時は、コアンダ羽根３２の後端３２２と吹出口１５の上壁１１１との隙間Ｃが拡大するので、吹出空気は隙間Ｃを通ってコアンダ羽根３２の内側面３２ｂに沿う下向きの流れと、風向調整羽根３１とコアンダ羽根３２とに挟まれた空間を通って横に向う流れとが同時に生じる。つまり、下方吹きと横吹きとが同時に行われる。
【００９０】
（３−４−２）第２横吹き
また、風向調整羽根３１の前端部とコアンダ羽根３２の前端部とは必ずしも近接している必要はなく、風向調整羽根３１の前端部とコアンダ羽根３２の外側面３２ａとの最短距離が所定値以内に収めることによっても横吹きが可能である。
【００９１】
図３Ｇは、第２横吹き時の風向調整羽根３１及びコアンダ羽根３２の側面図である。図３Ｇにおいて、第２横吹き時、風向調整羽根３１の前端部とコアンダ羽根３２の外側面３２ａとの最短距離が１５ｍｍ以内に収まるように、風向調整羽根３１及びコアンダ羽根３２の姿勢が調整される。なお、風向調整羽根３１の前端部とコアンダ羽根３２の外側面３２ａとが最も近接する位置は、吹出口１５よりも吹出空気の下流側である。
【００９２】
第２横吹き時、コアンダ羽根３２は第１横吹き時よりも前端部を上方に持ち上げた姿勢となるので、隙間Ｃを通過した吹出空気は隙間Ｃからコアンダ羽根３２の内側面３２ｂに沿って流れる前方下向きの流れとなる。
【００９３】
また、風向調整羽根３１とコアンダ羽根３２とに挟まれた空間に入った吹出空気は、通風抵抗の小さい方向へ、即ち、側方へ流れる。その結果、吹出空気の前方下吹きと、横吹きが実現する。
【００９４】
（４）動作
上記のような吹出空気の方向制御を利用した空調室内機の動作について、以下、図面を参照しながら説明する。
【００９５】
（４−１）コアンダ風向設定
（４−１−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収容部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の外側面３２ａに引っ張られるように方向を変え、第１コアンダ気流となってコアンダ羽根３２の外側面３２ａおよび前面パネル１１ｂに沿うように流れる。
【００９６】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【００９７】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【００９８】
図７Ｂは、「コアンダ風向設定」メニューの下位メニューを表した表示部５２の正面図である。図７Ｂにおいて、「コアンダ風向設定」メニューの下位メニューには、第１〜第５コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【００９９】
（４−１−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側湾曲面３１ｂｂの前方端Ｅ１における接線Ｌ１が水平になるまで風向調整羽根３１を回動させ、次に、外側面３２ａの外側湾曲面３２ａａの前方端Ｅ２における接線Ｌ２が前方上向きとなるまでコアンダ羽根３２を回動させる。したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。
【０１００】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【０１０１】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の外側面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【０１０２】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【０１０３】
（４−１−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側湾曲面３１ｂｂの前方端Ｅ１における接線Ｌ１が水平よりも前下がりになるまで風向調整羽根３１を回動させ、次に、外側面３２ａの外側湾曲面３２ａａの前方端Ｅ２における接線Ｌ２が略水平になる位置までコアンダ羽根３２を回動させる。したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【０１０４】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために第４姿勢のコアンダ羽根３２を２点鎖線で、第５姿勢のコアンダ羽根３２を実線で描いている。
【０１０５】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の外側面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【０１０６】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【０１０７】
以上のように、コアンダ羽根３２の第１姿勢から第５姿勢は、コアンダ気流を利用する時のコアンダ羽根３２及び風向調整羽根３１それぞれの角度を組み合わせることによってコアンダ気流を発生させており、以後、これらの姿勢を第１角度組合せ姿勢とよぶ。
【０１０８】
（４−２）横吹き風向設定
（４−２−１）第１横吹き姿勢
図６Ｄは、風向調整羽根３１とコアンダ羽根３２とが第１横吹き姿勢をとるときの吹出空気の方向を示す空調室内機設置空間の側面図である。図７Ｃは、「風向設定」メニューの下位メニューを表した表示部５２の正面図である。図７Ｃにおいて、「風向設定」メニューの下位メニューには、［通常前吹き］、［通常前方下吹き］、［第１横吹き］、及び［第２横吹き］が予め準備されており、ユーザーはカーソル５２ａで任意の項目を指定して確定する。
【０１０９】
図７Ｃにおいて、［第１横吹き］が選択されたとき、図３Ｆに示すように、制御部４０は風向調整羽根３１とコアンダ羽根３２とが略三角形を成すようにそれぞれの前端部を接近させる。このときの風向調整羽根３１及びコアンダ羽根３２の姿勢が第１横吹き姿勢である。第１横吹き姿勢によって、吹出空気はコアンダ羽根３２の内側面３２ｂに沿う下向きの流れ（下吹き）と、風向調整羽根３１とコアンダ羽根３２とに挟まれた空間を通って横に向う流れ（横吹き）とが同時に行われる。
【０１１０】
（４−２−２）第２横吹き姿勢
図６Ｅは、風向調整羽根３１とコアンダ羽根３２とが第２横吹き姿勢をとるときの吹出空気の方向を示す空調室内機設置空間の側面図である。図７Ｃにおいて、［第２横吹き］が選択されたとき、図３Ｇに示すように、制御部４０は風向調整羽根３１の前端部とコアンダ羽根３２の外側面３２ａとの最短距離が１５ｍｍ以内に収まるように、風向調整羽根３１及びコアンダ羽根３２の姿勢を調整する。このときの風向調整羽根３１及びコアンダ羽根３２の姿勢が第２横吹き姿勢である。
【０１１１】
第２横吹き時、吹出空気はコアンダ羽根３２の内側面３２ｂに沿って流れる前方下向きの流れ（前方下吹き）と、風向調整羽根３１とコアンダ羽根３２とに挟まれた空間に入った後に側方へ流れる横吹きが同時に行われる。
【０１１２】
以上のように、第１横吹き姿勢および第２横吹き姿勢は少なくとも横吹きを実現しており、上記第１角度組合せ姿勢と区別して、第２角度組合せ姿勢とよぶ。
【０１１３】
（５）特徴
（５−１）
空調室内機１０では、制御部４０が、水平面に対する風向調整羽根３１およびコアンダ羽根３２それぞれの角度を組み合わせた複数の角度組合せ姿勢を使って、吹出空気の方向を調整する。第１角度組合せ姿勢では、コアンダ気流を利用する時のコアンダ羽根３２および風向調整羽根３１それぞれの角度が組み合わせられ、コアンダ効果利用モードにおけるコアンダ羽根３２の第１姿勢から第５姿勢を実現している。
【０１１４】
（５−２）
また、第２角度組合せ姿勢では、コアンダ羽根３２および風向調整羽根３１それぞれの先端を最短まで近接させる第１横吹き姿勢、コアンダ羽根３２および風向調整羽根３１のいずれか一方の先端と他方の近接面との距離が１５ｍｍ以内に収められる第２横吹き姿勢を実現している。コアンダ羽根３２と風向調整羽根３１とに挟まれた空間は後方から前方に向って狭くなり通風抵抗が大きくなるので、この空間に入った吹出空気は側方へ流れ易くなる。その結果、吹出空気の横吹きが可能となる。
【０１１５】
（５−３）
また、第２角度組合せ姿勢におけるコアンダ羽根３２および風向調整羽根３１のいずれか一方の先端と他方の近接面とが最も近接する位置が、吹出口１５よりも吹出空気の下流側にある。それゆえ、コアンダ羽根３２と風向調整羽根３１とに挟まれた空間内で側方に方向転換した吹出空気が確実に側方に吹き出される。
【０１１６】
（５−４）
空調室内機１０では、本体ケーシング１１に吹出口１５を形成する上壁１１１、下壁１１２、及び左右の側壁１１３，１１４から成る形成壁１１５が設けられており、吹出空気の一部はコアンダ羽根３２の後端３２２と上壁１１１との隙間からコアンダ羽根３２の上側面３２ａに沿って流れる。それゆえ、吹出空気の前方および側方への同時吹き、或いは、下方および側方への同時吹きが実現される。なお、吹出空気の半分以上の空気量がコアンダ羽根３２および風向調整羽根３１に挟まれた空間の側方から吹出される。
【産業上の利用可能性】
【０１１７】
本発明は、壁掛け式空調室内機に有用である。
【符号の説明】
【０１１８】
１０  空調室内機
１１  本体ケーシング
１５  吹出口
３１  風向調整羽根
３２  コアンダ羽根
３２ａ  外側面（下面）
４０  制御部
【先行技術文献】
【特許文献】
【０１１９】
【特許文献１】特開２０１０−１２１８７７号公報
【図１】
0005834911.tif 000002
【図２Ａ】
0005834911.tif 000003
【図２Ｂ】
0005834911.tif 000004
【図２Ｃ】
0005834911.tif 000005
【図３Ａ】
0005834911.tif 000006
【図３Ｂ】
0005834911.tif 000007
【図３Ｃ】
0005834911.tif 000008
【図３Ｄ】
0005834911.tif 000009
【図３Ｅ】
0005834911.tif 000010
【図３Ｆ】
0005834911.tif 000011
【図３Ｇ】
0005834911.tif 000012
【図４Ａ】
0005834911.tif 000013
【図４Ｂ】
0005834911.tif 000014
【図５Ａ】
0005834911.tif 000015
【図５Ｂ】
0005834911.tif 000016
【図６Ａ】
0005834911.tif 000017
【図６Ｂ】
0005834911.tif 000018
【図６Ｃ】
0005834911.tif 000019
【図６Ｄ】
0005834911.tif 000020
【図６Ｅ】
0005834911.tif 000021
【図７Ａ】
0005834911.tif 000022
【図７Ｂ】
0005834911.tif 000023
【図７Ｃ】
0005834911.tif 000024
【図８Ａ】
0005834911.tif 000025
【図８Ｂ】
0005834911.tif 000026